(57)【要約】【課題】着脱自在の集塵部の外郭形状に関わらず、本体の外観を自由にデザインすることができる電気掃除機を提供する。【解決手段】塵埃を収集する集塵部１１と、前記集塵部１１を着脱自在に収納する集塵収納部１０とを備え、前記集塵収納部１０は、電動送風機１２に連通する空気吸入部１４ａを有した後壁１４、吸込具（図示せず）に連通する吸気口２０を有する前壁１８、側面を形成する側壁４４を具備し、前記集塵収納部１０の上方に回動自在の開閉蓋５０を設けて、集塵部１１を覆うことにより、本体７の外郭デザインを自由に行うことができる。【選択図】  図６
2004337496.tif 000002
【特許請求の範囲】
【請求項１】
吸引用電動送風機と、塵埃を収集する集塵部と、前記集塵部を着脱自在に収納する集塵収納部とを備え、前記集塵収納部を、前記集塵部の周囲を覆う壁部と回動自在の開閉蓋から形成した電気掃除機。
【請求項２】
壁部を別部品で形成した請求項１記載の電気掃除機。
【請求項３】
開閉蓋の略中央に透明又は半透明の中蓋を設けた請求項１または２記載の電気掃除機。
【請求項４】
開閉蓋と中蓋とを一体成形した請求項３記載の電気掃除機。
【請求項５】
開閉蓋を閉じた時に、前記開閉蓋または中蓋の一部が集塵部上部に当接するように構成した請求項３または４記載の電気掃除機。
【請求項６】
開閉蓋または中蓋の一部が軟質材を介して集塵部上部に当接するようにした請求項５記載の電気掃除機。
【請求項７】
壁部を透明又は半透明材料で構成した請求項１〜６のいずれか１項記載の電気掃除機。
【請求項８】
壁部の周囲を軟質の緩衝材で構成した請求項１〜７のいずれか１項記載の電気掃除機。
【請求項９】
壁部と緩衝材とを一体成形した請求項８記載の電気掃除機。
【請求項１０】
壁部の上方または下方にリード線を通すための溝部を設けた請求項１〜９のいずれか１項記載の電気掃除機。
【請求項１１】
壁部に集塵部のゴミ捨て目安となる線を表示した請求項１〜１０のいずれか１項記載の電気掃除機。
【発明の詳細な説明】
【０００１】
【発明の属する技術分野】
本発明は、着脱可能な集塵部を備えた電気掃除機に関するものである。
【０００２】
【従来の技術】
従来の、本体より集塵部が着脱可能な電気掃除機において、集塵部の外郭が本体外郭の一部を形成していた（例えば、特許文献１参照）。
【０００３】
【特許文献１】
特開２０００−３４２４９２号公報
【０００４】
【発明が解決しようとする課題】
ところがこのような着脱式の集塵部を有した電気掃除機においては、本体の吸込み性能やゴミ捨て性等を向上させようとすると、集塵部の外観が左右不対称、もしくは歪な形状となり、デザイン的に成り立たなくなり、やむをえず性能かデザインのどちらかを犠牲にするか、両者のバランスをみて中間をとるかの選択をせざるを得なかった。
【０００５】
本発明は上記課題を解決するもので、着脱可能な集塵部を備えた電気掃除機において、吸込み性能やゴミ捨て性等と、デザイン性とを両立させた電気掃除機を提供することを目的とする。
【０００６】
【課題を解決するための手段】
上記目的を達成するために本発明は、吸引用電動送風機と、塵埃を収集する集塵部と、前記集塵部を着脱自在に収納する集塵収納部とを備え、前記集塵収納部を、前記集塵部の周囲を覆う壁部と回動自在の開閉蓋から形成したもので、集塵部が、外郭の一部として露出しないので、集塵性能を維持するために決定される外郭形状に関わらず、本体の外観を自由にデザインできるものである。
【０００７】
【発明の実施の形態】
本発明の請求項１記載の発明は、吸引用電動送風機と、塵埃を収集する集塵部と、前記集塵部を着脱自在に収納する集塵収納部とを備え、前記集塵収納部を、前記集塵部の周囲を覆う壁部と回動自在の開閉蓋から形成したもので、集塵部が、外郭の一部として露出しないので、集塵性能を維持するために決定される外郭形状に関わらず、本体の外観を自由にデザインできるものである。
【０００８】
本発明の請求項２記載の発明は、壁部を別部品で形成したもので、前壁や後壁に使用される材料と異なる材料も使用できるので、材料の選択肢が広がる。
【０００９】
本発明の請求項３記載の発明は、開閉蓋の略中央に透明又は半透明の中蓋を設けたもので、開閉蓋が閉じた状態でも、集塵部の有無や設置状態、ゴミの吸込み状態等を確認することができるものである。
【００１０】
本発明の請求項４記載の発明は、開閉蓋と中蓋とを一体成形したもので、組立費の低減あるいは部品強度の向上を図ることができる。
【００１１】
本発明の請求項５記載の発明は、開閉蓋を閉じた時に、前記開閉蓋または中蓋の一部が集塵部上部に当接するようにしたもので、掃除機使用時や移動時の、集塵部のがたつきを防止するものである。
【００１２】
本発明の請求項６記載の発明は、開閉蓋または中蓋の一部が軟質材を介して集塵部上部に当接するようにしたもので、開閉蓋および集塵部の傷付きや破損、さらには集塵部のガタツキを防ぐことができる。
【００１３】
本発明の請求項７記載の発明は、壁部を透明又は半透明材料で構成したもので、開閉蓋を開けて集塵部を取り出さなくとも、集塵部へのゴミの集積具合を横から目視で確認することができる。
【００１４】
本発明の請求項８記載の発明は、壁部の周囲を軟質の緩衝材で構成したもので、壁部の傷付きや破損を防ぐことができる。
【００１５】
本発明の請求項９記載の発明は、壁部と緩衝材とを一体成形したもので、組立費の低減あるいは部品強度の向上を図るものである。
【００１６】
本発明の請求項１０記載の発明は、壁部の上方または下方にリード線を通すための溝部を設けたもので、リード線の引き回しを容易にすることができる。
【００１７】
本発明の請求項１１記載の発明は、壁部に集塵部のゴミ捨て目安となる線を表示したもので、使用者にゴミ捨て時期を目視により伝えることができるものである。
【００１８】
【実施例】
以下、本発明の実施例を、図１〜図７を用いて説明する。
【００１９】
図１において、電気掃除機１は、延長管２の一端に取り付けられ塵埃を吸引する吸込具３と、一端に前記延長管２の他端に接続される手元ハンドル４を備え、他端に、掃除機本体（以下、本体７とする）に接続されるホース継ぎ手５を備えたホース６で、構成されている。本体７は、枢支された１個の前輪キャスター８と一対の後輪９とを備えている。
【００２０】
図２に示すように、本体７内前方に形成された集塵収納部１０には、吸込具３から吸引され、延長管２、ホース６内の吸引通路（図示せず）を通過し、本体７まで移送させた塵埃を吸引風と分離しまた捕集する集塵部１１が取外し自在に装着されている。
【００２１】
また、本体７の集塵収納部１０の後方には吸引風を発する電動送風機１２等が内蔵されている。この電動送風機１２の吸入側は、開口１３を通じて、後壁１４に設けられた空気吸入部１４ａに連通している。空気吸入部１４ａは、集塵部１１を集塵収納部１０に取り付けた時、集塵部１１に当接する傾斜シール面１５で包囲されている。
【００２２】
本体７後方には、排気フィルタ１６が備えられ、電動送風機１２からの排気はこの排気フィルター１６を通過して、本体７の機外へ放出される。さらに本体７には他の部品、すなわち前記電動送風機１２の消費電力等を制御する制御部１７等の電気系統や、前記電動送風機１２に電源を供給するコード（図示せず）を本体７内に巻き取るコード巻き取り装置（図示せず）等が内蔵されている。
【００２３】
本体７の前壁１８は底壁１９から立ち上がっており、この底壁１９は前記集塵収納部１０の下端面となっている。前壁１８の略中央部にはホース継ぎ手５を着脱自在に接続するための吸気口２０が設けられている。吸気口パッキン２１は吸気口２０の集塵収納部１０側端面に取り付けられていて、吸気口２０と集塵部１１との間の空気洩れを防止している。タイト面にはリップ形状を形成することでさらにタイト性が向上される。
【００２４】
図２、３に示すように、集塵部１１には、前記集塵部１１の下方部に設けられ吸気口２０を通過した含塵気流から粗塵を捕集する粗塵収容室２２と、前記粗塵収容室２２に重合して、本実施例では上方に重合して設けられ、粗塵をほとんど除去した気流から細塵を分離するための遠心分離室２３と、前記遠心分離室２３の下方かつ前記粗塵収容室２２と並列に設けられ前記遠心分離室２３にて遠心分離された細塵を蓄積する細塵収容室２４の３室が形成してあり、前記粗塵収容室２２と前記細塵収容室２４は相互に仕切られ区画されている。集塵部１１の集塵部前壁２５には吸入口２６を形成してあり、この吸入口２６の一端は、前記集塵部１１を本体７にセットした状態においては前記吸気口２０と同心上にあって連通し、一方他端は粗塵収容室２２と連通している。
【００２５】
粗塵収容室２２は、下部に軸部２９により開閉自在で、粗塵収納室２２と細塵収納室２４を負圧に保つため蓋パッキン３１を具備する塵収容室蓋２７を有し、粗塵捕集手段である一次フィルター３２を介して前記遠心分離室２３と連通している。前記一次フィルター３２は、粗塵収容室２２に流入した塵埃を含む吸引風のうち、粗塵を前記粗塵収容室２２にて捕集する役割を果たし、それにより前記粗塵が前記粗塵収容室２２内に蓄積される構成となっている。
【００２６】
集塵部空気吸入部３３を具備した蓋板３４には、外周にパッキング３５を嵌着されており、集塵部１１の電動送風機１２の吸気側開口に隙間無く装着することで着脱自在に取り付けられる。パッキング３５は、集塵部１１を集塵収納部１０に取り付けた状態では、傾斜シール面１５に軽く圧着した状態となり、本体７の外から外気が空気吸入部１４ａに流入することを防止している。
【００２７】
図４、５に示すように、本体下４１の集塵収納部１０左右側面４２は、略Ｕ字状にえぐれており、周囲を軟質の緩衝材４３で取り巻いた透明の側壁４４を別部品で取り付けている。側壁４４の上部にはＵ字型の溝部４５を設けており、ホース継ぎ手５に取り付けられた端子等の電気部品と本体７に内蔵された制御部１７とを電気的につなぐリード線４６を圧入気味にセットしている。
【００２８】
また側壁４４の表面には集塵部１１内のゴミ満杯の目安となる目安線４７を描いている。本体下４１の上方には本体上４８を配し、側壁４４を挟み込む形で固定している。
【００２９】
図６、７に示すように、集塵収納部１０の上方には、本体上４８の後部に回動自在に軸支される回動軸４９を設けた開閉蓋５０が開閉自在に設けられ、その開閉蓋５０の略中央部には透明又は半透明の中蓋５１を設け、開閉蓋５０を閉じた時には、集塵部１１上部に貼り付けた軟質材５２を介して集塵部１１を軽く押さえ付けるように構成している。
【００３０】
次に、上記構成における作用について説明する。
【００３１】
集塵部１１の上方を開閉蓋５０で、側面を側壁４４および本体下４１、本体上４８で完全に覆っているため、集塵部１１の外郭形状に関わらず、本体７の外観を自由にデザインすることができる。また、中蓋５１および側壁４４を透明材料で構成しているため、開閉蓋５０が閉じた状態でも、集塵部１１の有無や設置状態、ゴミの吸込み状態等を確認することができるものである。また、側壁４４に集塵部１１のゴミ捨て目安となる目安線４７を描いているため、使用者にゴミ捨て時期を目視により伝えることができる。
【００３２】
また、開閉蓋５０または中蓋５１の一部と集塵部１１上部との当接部に軟質材５２を設けて、集塵部１１を軽く押さえ付けるようにしているため、掃除機使用時や移動時の集塵部１１のがたつきを防止し、開閉蓋５０および集塵部１１の衝突による傷付きや破損を防ぐことができる。また側壁４４の周囲を軟質の緩衝材４３で構成しているため、透明な側壁４４の傷付きや破損を防ぐことができる。さらには側壁４４の上方にリード線４６を通すための溝部４５を設けているため、リード線４６の引き回しを容易にすることができる。
【００３３】
【発明の効果】
本発明によれば、塵埃を収集する着脱可能な集塵部を収納する集塵収納部を有する電気掃除機において、集塵部の外郭形状に関わらず、本体の外観を自由にデザインすることができる。
【図面の簡単な説明】
【図１】本発明の一実施例を示す電気掃除機の全体外観図
【図２】同掃除機本体の側断面図
【図３】図２のＡ−Ａ断面図
【図４】同掃除機本体の分解斜視図
【図５】同掃除機本体の側壁の部品図
【図６】同掃除機本体の蓋開時の斜視図
【図７】同掃除機本体の開閉蓋の分解図
【符号の説明】
７      本体
１０    集塵収納部
１１    集塵部
１２    電動送風機
１４    後壁
１４ａ  空気吸入部
１８    前壁
２０    吸気口
４４    側壁
４８    本体上
５０    開閉蓋
５１    中蓋
【図１】
2004337496.tif 000003
【図２】
2004337496.tif 000004
【図３】
2004337496.tif 000005
【図４】
2004337496.tif 000006
【図５】
2004337496.tif 000007
【図６】
2004337496.tif 000008
【図７】
2004337496.tif 000009